(57)【要約】【課題】  原稿用紙の坪量によって原稿を読み込む速度を変えれば、より広い範囲の坪量の用紙をドキュメントフィーダで読み込むことが可能となり、より効率的に作業することができる。しかしながら、これまで原稿用紙の坪量をユーザが設定する手段がなかった。【解決手段】  原稿種類（坪量）のデフォルト設定画面、原稿種類（坪量）設定ポップアップ画面、ジョブ毎の原稿種類（坪量）設定画面、を表示し、原稿読み込み時に適用する原稿種類（坪量）を判定する。【選択図】図７
2020102783.tif 000002
【特許請求の範囲】
【請求項１】
原稿を自動的に連続して読み取ることが可能なドキュメントフィーダを備えた画像処理装置において、
ドキュメントフィーダに原稿が置かれた時に毎回原稿種別を設定するか否かを設定するデフォルト原稿種別設定手段と、
ドキュメントフィーダに原稿が置かれたことを検知する検知手段と、
前記検知手段によって原稿が置かれたことを検知すると、前記デフォルト原稿種別の設定が毎回原稿種別を設定するモードである場合は、置かれた原稿の原稿種別を指定する設定画面を表示する原稿種別設定ポップアップ画面表示手段と、を持ち、
前記デフォルト原稿種別設定手段、または前記原稿種別設定ポップアップ画面表示手段から設定された原稿種別に従って原稿を読み込む原稿読み込み手段と、
を有することを特徴とする画像処理装置。
【請求項２】
さらに、前記デフォルト原稿種別の設定が毎回原稿種別を設定するモードでない場合は、ジョブ投入時に、原稿種別を変更するためのボタンを表示し、原稿種別の変更が可能なジョブ毎原稿種別設定変更画面を表示する手段を有することを特徴とする請求項１に記載の画像処理装置。
【発明の詳細な説明】
【技術分野】
【０００１】
本発明は、画像処理装置の原稿読み込み制御に関する。
【背景技術】
【０００２】
原稿を読み込んで、読み込んだ画像データを処理する機能を有する画像処理装置として、コピー機やファクス装置が知られている。また、コピー機能やファクス機能など複数の処理機能を有する所謂デジタル複合機も広く使われている。こうした画像処理装置には、原稿を自動的に連続して紙送りし、スキャナで次々と読み取ることが可能なドキュメントフィーダ（ＡＤＦ）を備えたものがある。ドキュメントフィーダを用いることで、特に複数枚の原稿を読み込んで処理する作業を効率的に行うことができる。
【０００３】
特許文献１には、ドキュメントフィーダに置かれた複数の用紙を順に読み取って、読み取った用紙が白紙か否かを判定して、白紙でないと判定された用紙の画像データを送信先へ送信する画像通信装置が開示されている。
【先行技術文献】
【特許文献】
【０００４】
【特許文献１】特開２０１６−１９５３６９号公報
【発明の開示】
【発明が解決しようとする課題】
【０００５】
上述したようなドキュメントフィーダを備えた画像処理装置では、ドキュメントフィーダで読み込むことが可能な原稿の用紙の厚さ（坪量）の範囲が決まっている。通常、ドキュメントフィーダは、原稿用紙の坪量によらず、一定の速度で原稿を送って読み込み処理をしており、範囲外の坪量の用紙を読み込ませようとした場合、原稿用紙がドキュメントフィーダに詰まってしまったり、読み取り画像が不正になってしまったりする可能性がある。
【０００６】
原稿用紙の坪量によって原稿を読み込む速度を変えれば、より広い範囲の坪量の用紙をドキュメントフィーダで読み込むことが可能となり、より効率的に作業することができる。しかしながら、これまで原稿用紙の坪量をユーザが設定する手段がなかった。
【課題を解決するための手段】
【０００７】
上記の課題を解決するために、本発明に係る画像処理装置は、
原稿を自動的に連続して読み取ることが可能なドキュメントフィーダを備えた画像処理装置であって、
ドキュメントフィーダに原稿が置かれた時に毎回原稿種別を設定するか否かを設定するデフォルト原稿種別設定手段と、
ドキュメントフィーダに原稿が置かれたことを検知する検知手段と、
前記検知手段によって原稿が置かれたことを検知すると、前記デフォルト原稿種別の設定が毎回原稿種別を設定するモードである場合は、置かれた原稿の原稿種別を指定する設定画面を表示する原稿種別設定ポップアップ画面表示手段と、を持ち、
前記デフォルト原稿種別設定手段、または前記原稿種別設定ポップアップ画面表示手段から設定された原稿種別に従って原稿を読み込む原稿読み込み手段と、
を有することを特徴とする。
【発明の効果】
【０００８】
本発明に係る画像処理装置によれば、より広い範囲の坪量の用紙をドキュメントフィーダで読み込むことが可能となり、より効率的に作業することができる。
【図面の簡単な説明】
【０００９】
【図１】本発明の一実施の形態に係る画像処理装置のハードウェア構成を示すブロック図である。
【図２】画像処理装置のコントローラ内のシステム構成を示す図である。
【図３】画像処理装置のディスプレイに表示される原稿種類（坪量）のデフォルト設定画面の例である。
【図４】画像処理装置のディスプレイに表示される原稿種類（坪量）設定ポップアップ画面の例である。
【図５】画像処理装置のディスプレイに表示されるコピー基本画面の例である。
【図６】画像処理装置のディスプレイに表示される、ジョブ毎の原稿種類（坪量）設定画面の例である。
【図７】画像処理装置のドキュメントフィーダに原稿用紙が置かれた時の処理の流れを示すフローチャートである。
【図８】画像処理装置のコピージョブ実行時の処理の流れを示すフローチャートである。
【発明を実施するための形態】
【００１０】
以下、本発明の実施の形態による画像処理装置の一例について図面を参照して説明する。
【００１１】
図１は、本発明の実施の形態による画像処理装置１００の一例についてそのハードウェア構成を示すブロック図である。
【００１２】
図１において、システムバス１１０に対してＣＰＵ１１１、ＲＡＭ１１２、ＲＯＭ１１３、操作入力部１１４、表示制御部１１５、外部メモリＩ／Ｆ１１６、通信Ｉ／Ｆコントローラ１１７、プリンタＩ／Ｆ１１８、スキャナＩ／Ｆ１１９、が接続される。また、タッチパネル１２０、ハードキー１２１、ディスプレイ１２２、外部メモリ１２３、プリンタ１２４、スキャナ１２５、それぞれのインタフェースを介して接続される。システムバス１１０に接続される各部は、システムバス１１０を介して互いにデータのやりとりを行うことができるように構成されている。
【００１３】
ＲＯＭ１１３は、不揮発性のメモリであり、画像データやその他のデータ、ＣＰＵ１１１が動作するための各種プログラムなどが、それぞれ所定の領域に格納される。ＲＡＭ１１２は、揮発性のメモリであり、ＣＰＵ１１１の主メモリ、ワークエリア等の一時記憶領域として用いられる。
【００１４】
ＣＰＵ１１１は、例えばＲＯＭ１１３に格納されるプログラムに従い、ＲＡＭ１１２をワークメモリとして用いて、この画像処理装置１００の各部を制御する。なお、ＣＰＵ１１１が動作するためのプログラムは、ＲＯＭ１１３に格納されるのに限られず、外部メモリ（ハードディスク等）１２３に予め記憶しておいてもよい。
【００１５】
操作入力部１１４は、ユーザ操作を受け付け、操作に応じた制御信号を生成し、ＣＰＵ１１１に供給する。操作入力部１１４は、ユーザ操作を受け付ける入力デバイスとして、タッチパネル１２０およびハードキー１２１と接続される。
【００１６】
なお、タッチパネル１２０は、例えば平面的に構成された入力部に対して接触された位置に応じた座標情報が出力されるようにした入力デバイスである。抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１７】
ハードキー１２１は、物理的に押下可能な入力デバイスであり、数値キーやスタートキー、ストップキーなどを含む。ＣＰＵ１１１は、入力デバイスに対してなされたユーザ操作に応じて操作入力部１１４で生成され供給される制御信号に基づき、プログラムに従いこの画像処理装置１００の各部を制御する。これにより、画像処理装置１００に対し、ユーザ操作に応じた動作を行わせることができる。
【００１８】
表示制御部１１５は、ディスプレイ１２２に対して画像を表示させるための表示信号を出力する。例えば、表示制御部１１５に対して、ＣＰＵ１１１がプログラムに従い生成した表示制御信号が供給される。表示制御部１１５は、この表示制御信号に基づき表示信号を生成してディスプレイ１２２に対して出力する。例えば、表示制御部１１５は、ＣＰＵ１１１が生成する表示制御信号に基づき、ＧＵＩ（Ｇｒａｐｈｉｃａｌ  Ｕｓｅｒ  Ｉｎｔｅｒｆａｃｅ）を構成するＧＵＩ画面をディスプレイ１２２に表示させる。
【００１９】
タッチパネル１２０は、ディスプレイ１２２と一体的に構成される。例えば、タッチパネル１２０を光の透過率がディスプレイ１２２の表示を妨げないように構成し、ディスプレイ１２２の表示面の上層に取り付ける。そして、タッチパネル１２０における入力座標と、ディスプレイ１２２上の表示座標とを対応付ける。これにより、あたかもユーザがディスプレイ１２２上に表示された画面を直接的に操作可能であるかのようなＧＵＩを構成することができる。
【００２０】
外部メモリＩ／Ｆ１１６には、例えばハードディスクやフロッピーディスク、又はＣＤやＤＶＤ、メモリーカード等の外部メモリ１２３が装着可能になっている。ＣＰＵ１１１の制御に基づき、装着された外部メモリ１２３からのデータの読み出しや、当該外部メモリ１２３に対するデータの書き込みを行う。通信Ｉ／Ｆコントローラ１１７は、ＣＰＵ１１１の制御に基づき、例えばＬＡＮやインターネット、有線、無線等の各種ネットワーク１５０に対する通信を行う。
【００２１】
スキャナＩ／Ｆ１１９は、スキャナ１２５と接続され、原稿読み込みに関する制御を実施する。スキャナ１２５は、原稿となる紙上の画像を照明し、ＣＣＤラインセンサを走査することで、ラスターイメージデータとして電気信号に変換する画像入力デバイスである。スキャナ１２５にはドキュメントフィーダ１２６が搭載されている。原稿がドキュメントフィーダ１２６にセットされると、スキャナ１２５はスキャナＩ／Ｆ１１９を介して、原稿載置通知をＣＰＵ１１１に送る。
【００２２】
そして、画像処理装置１００のユーザが操作入力部１１４を介して読み取り開始を指示すると、スキャナＩ／Ｆ１１９を介して、スキャナ１２５に読み込み開始指示が与えられ、ドキュメントフィーダ１２６は原稿を１枚ずつフィードし原稿画像の読み取り動作を行う。ドキュメントフィーダ１２６が原稿をフィードしスキャナ１２５が原稿を読み取る際の読込速度は、原稿種類（坪量）よって適切に制御する。
【００２３】
具体的には、例えば原稿が薄紙（３７〜６３ｇｓｍ）の場合は１００ｉｐｍ、普通紙（６４〜１５７ｇｓｍ）の場合は１３５ｉｐｍ、厚紙（１５８〜２２０ｇｓｍ）の場合は、８０ｉｐｍといった速度で読み込む。原稿種類（坪量）の指定の詳細は後述する。
【００２４】
プリンタＩ／Ｆ１１８は、プリンタ１２４への画像出力を制御する。プリンタ１２４は、ラスターイメージデータを用紙上の画像に変換する画像出力デバイスである。その方式は感光体ドラムや感光体ベルトを用いた電子写真方式、微少ノズルアレイからインクを吐出して用紙上に直接画像を印字するインクジェット方式等があるが、どの方式でも構わない。
【００２５】
図２は、図１に示す画像処理装置１００の機能の一例を示すブロック図である。
【００２６】
画像処理装置１００は、その機能として原稿種類判定処理部（原稿種類判定処理手段）２０１、操作処理部（操作処理手段）２０２、及びジョブ制御部（ジョブ制御手段）２０３を有している。これらの各機能部は、ＣＰＵ１１１（図１）が、ＲＯＭ１１３または外部メモリ１２３に格納されたプログラムをＲＡＭ１１２に読みだして実行することによって実現する機能である。
【００２７】
原稿種類判定処理部２０１は、ドキュメントフィーダ１２６に置かれた原稿を読み込む際に適用する原稿種類（坪量）を判定する機能モジュールである。原稿種類判定処理部２０１は、原稿種類（坪量）のデフォルト設定（図３）、原稿種類（坪量）設定ポップアップ画面での設定（図４）、ジョブ毎の原稿種類（坪量）設定（図６）から、適用する原稿種類（坪量）を判定する。判定の詳細は後述する。
【００２８】
操作処理部２０２は表示制御部１１５を制御して、前記各原稿種類（坪量）設定画面（図３、図４、図６）を含む各種操作画面をディスプレイ１２２に表示する。さらに、タッチパネル１２０から入力されたユーザからの操作指示を操作入力部１１４を介して受け取って処理する機能モジュールである。
【００２９】
ジョブ制御部２０３は、コピーやスキャンなどの各種ジョブの制御を行う機能モジュールである。ジョブ制御部２０３は、実行するジョブがスキャナによる原稿読み込みが必要なジョブである場合、原稿種類判定処理部２０１が判定した原稿種類（坪量）をスキャナ１２５に対して通知する。スキャナ１２５は、通知された原稿種類（坪量）に従ってドキュメントフィーダ１２６を制御して適切な読み込み速度で原稿読み込み処理を行う。
【００３０】
図３は、画像処理装置１００のディスプレイ１２２に表示される、原稿種類（坪量）のデフォルト設定を行うための画面の例である。
【００３１】
ボタン３０１は毎回指定モードに切り替える場合に選択するボタンであり、ボタン３０２は固定モードに切り替える場合に選択するボタンである。毎回指定モードとは、ドキュメントフィーダに原稿が置かれるたびに、原稿種類（坪量）を入力するためのポップアップ画面を表示し、ユーザに設定させるモードである。固定モードとは、ドキュメントフィーダに置かれる原稿の原稿種類（坪量）を予め固定の原稿種類（坪量）に決めておくモードである。
【００３２】
ボタン３０１とボタン３０２は互いに排他に選択状態が切り替わるように制御される。ボタン３０２が選択されると、さらにボタン３０３、ボタン３０４、ボタン３０５を表示する。ボタン３０３、ボタン３０４、ボタン３０５は、それぞれ、原稿種類（坪量）のデフォルトを薄紙、普通紙、厚紙に固定するためのボタンである。ボタン３０３、ボタン３０４、ボタン３０５は、いずれか一つが選択状態となるよう選択状態が切り替わるよう制御される。
【００３３】
ボタン３０６は選択した原稿種類（坪量）設定を決定するＯＫボタンであり、ＯＫボタン３０６が押下されると、設定された原稿種類（坪量）のデフォルト設定をＲＡＭ１１２または、外部メモリ１２３に保持する。ボタン３０７はキャンセルボタンであり、押下されると原稿種類（坪量）のデフォルト設定を変更せずにこの画面を閉じる。画像処理装置１００のユーザは必要に応じて図３の画面を呼び出して原稿種類（坪量）のデフォルト設定の切り替えを行う。
【００３４】
図３の画面において、原稿種類（坪量）のデフォルト設定が、「毎回指定モード」に設定されている場合、ドキュメントフィーダ１２６に原稿がセットされたことを検知すると、画像処理装置１００のディスプレイ１２２に原稿種類（坪量）設定ポップアップ画面を表示する。
【００３５】
図４は、原稿種類（坪量）設定ポップアップ画面の例である。
【００３６】
ボタン４０１、ボタン４０２、ボタン４０３は、それぞれ、原稿種類（坪量）を薄紙、普通紙、厚紙に設定するためのボタンである。ボタン４０１、ボタン４０２、ボタン４０３はいずれか一つが選択状態となるよう選択状態が切り替わるように制御される。ボタン４０４は選択した原稿種類（坪量）を決定するＯＫボタンであり、ＯＫボタン３０６が押下されると、設定された原稿種類（坪量）をＲＡＭ１１２または、外部メモリ１２３に保持する。
【００３７】
なお、図３の画面において、原稿種類（坪量）のデフォルト設定が、「固定モード」に設定されている場合、ドキュメントフィーダ１２６に原稿がセットされたことを検知しても、図４に示す原稿種類（坪量）設定ポップアップ画面を表示しない。
【００３８】
図５は、ユーザがディスプレイ１２２に表示されたメニュー画面（不図示）からコピー機能を選択することによって画像処理装置１００のディスプレイ１２２に表示される、コピーの基本画面の例である。
【００３９】
ユーザは図５の画面で、カラーモード、倍率、コピー部数など各種設定を行ってコピージョブの指示を行う。ボタン５０１は原稿種類（坪量）設定ボタンである。このボタンは図３の画面において、原稿種類（坪量）のデフォルト設定が「固定モード」に設定されている場合のみ表示する。原稿種類（坪量）のデフォルト設定が「毎回指定モード」に設定されている場合は表示しない。ボタン５０１が押下されると、そのジョブに対する原稿種類（坪量）設定画面を表示する。
【００４０】
図６は、画像処理装置１００のディスプレイ１２２に表示される、ジョブ毎の原稿種類（坪量）設定画面の例である。
【００４１】
ボタン６０１、ボタン６０２、ボタン６０３は、それぞれ、原稿種類（坪量）を薄紙、普通紙、厚紙に設定するためのボタンである。ボタン６０１、ボタン６０２、ボタン６０３はいずれか一つが選択状態となるよう選択状態が切り替わるように制御される。
【００４２】
ボタン６０４は選択した原稿種類（坪量）を決定するＯＫボタンであり、ＯＫボタン６０４が押下されると、設定された原稿種類（坪量）設定をＲＡＭ１１２または、外部メモリ１２３に保持して、図５の画面に戻る。ボタン６０５は設定取消ボタンであり、押下されると原稿種類（坪量）を、図３に示す原稿種類（坪量）のデフォルト設定画面で設定された原稿種類（坪量）設定に戻して図５の画面に戻る。
【００４３】
図５の画面を表示中に、ハードキー１２１に含まれるスタートキーが押下されると、設定された各種設定に従ってコピージョブを実行する。この時、原稿種類（坪量）設定がスキャナＩ／Ｆ１１９を介してスキャナ１２５に通知され、スキャナ１２５は通知された原稿種類（坪量）に従って読み込み制御を行う。
【００４４】
次に、フィーダ１２６に原稿が載置された時の処理、及び、図５のコピー画面からコピージョブを実行する時の処理を図７、図８のフローチャートで説明する。
【００４５】
図７は、画像処理装置１００のフィーダ１２６に原稿が載置された時の処理を説明するためのフローチャートである。
【００４６】
ステップ７０１から処理を開始する。ステップ７０２においてＣＰＵ１１１はドキュメントフィーダに原稿が置かれたことを検知する。具体的には、原稿がドキュメントフィーダ１２６にセットされると、スキャナ１２５がスキャナＩ／Ｆ１１９を介して、原稿載置通知をＣＰＵ１１１に送る。
【００４７】
ＣＰＵ１１１は、この原稿載置通知を受信すると、原稿が置かれたと判断し、処理をステップ７０３に進める。ステップ７０３においてＣＰＵ１１１は原稿種類（坪量）のデフォルト設定が、毎回指定モードであるか否かを判断する。具体的には、図３の設定画面において設定され保持された原稿種類（坪量）のデフォルト設定を読み出して判断する。毎回指定モードであると判断するとステップ７０４に処理を進める。ステップ７０４においてＣＰＵ１１１は図４に示す原稿種類（坪量）設定ポップアップ画面をディスプレイ１２２に表示する。
【００４８】
ユーザは表示された図４の画面４０１、４０２、４０３のいずれかを選択してＯＫボタン４０４を押下することで、載置した原稿の原稿種類（坪量）を設定することができる。続いてステップ７０５においてＣＰＵ１１１は、ＯＫボタン４０４が押下されたか否かを判断する。ＯＫボタン４０４が押されたと判断すると、ＣＰＵ１１１はステップ７０６に処理を進める。ステップ７０６においてＣＰＵ１１１は、選択された原稿種類（坪量）を設定して処理を終了する。
【００４９】
ステップ７０３において毎回指定モードではないと判断した場合、ＣＰＵ１１１は処理をステップ７０７に進める。ステップ７０７においてＣＰＵ１１１はデフォルトの原稿種類（坪量）、すなわち図３の設定画面で設定された３０３、３０４、３０５のいずれかを、載置した原稿の原稿種類（坪量）として設定して処理を終了する。
【００５０】
図８は、図５のコピーの基本画面からコピージョブを実行する時の処理を説明するためのフローチャートである。
【００５１】
ステップ８００から処理を開始する。ステップ８０１においてＣＰＵ１１１は原稿種類（坪量）のデフォルト設定が、毎回指定モードであるか否かを判断する。具体的には、図３の設定画面において設定された原稿種類（坪量）のデフォルト設定を読み出して判断する。毎回指定モードであると判断するとステップ８０２に処理を進める。
【００５２】
ステップ８０２においてＣＰＵ１１１は原稿種類（坪量）設定ボタン５０１を非表示にして、ステップ８０９に処理を進める。なお、この場合は、ドキュメントフィーダに原稿を載置したタイミングで原稿種類（坪量）設定ポップアップ画面が表示され（ステップ７０４）、原稿種類（坪量）設定ポップアップ画面でユーザに設定された原稿種類（坪量）がそのジョブの原稿種類（坪量）として設定されることになる。
【００５３】
ステップ８０１において毎回指定モードでは無いと判断すると、ＣＰＵ１１１はステップ８０３に処理を進める。８０３においてＣＰＵ１１１は原稿種類（坪量）設定ボタン５０１を表示してユーザに選択可能にする。続いてステップ８０４においてＣＰＵ１１１は原稿種類（坪量）設定ボタン５０１が押下されたか判断する。原稿種類（坪量）設定ボタン５０１が押下されたと判断すると、ＣＰＵ１１１は原稿種類（坪量）設定画面（図６）を表示する（ステップ８０５）。
【００５４】
ユーザは表示された図６の画面６０１、６０２、６０３のいずれか選択してＯＫボタン６０４を押下することで、これから投入するジョブの原稿種類（坪量）を設定することができる。続いてステップ８０６においてＣＰＵ１１１は、ＯＫボタン６０４が押下されたか否かを判断する。ＯＫボタン６０４が押されたと判断すると、ＣＰＵ１１１はステップ８０７に処理を進める。ステップ８０７においてＣＰＵ１１１は、図６の画面で選択された原稿種類（坪量）をそのジョブの原稿種類（坪量）として設定してステップ８０９に処理を進める。
【００５５】
ステップ８０４において原稿種類（坪量）設定ボタンが押下されていないと判断した場合、ＣＰＵ１１１は処理をステップ８０８に進める。ステップ８０８においてＣＰＵ１１１はデフォルトの原稿種類（坪量）（図３の設定画面で設定された３０３、３０４、３０５のいずれか）を、投入するジョブの原稿種類（坪量）として設定してステップ８０９に処理を進める。
【００５６】
ステップ８０９においてＣＰＵ１１１はコピースタート指示がされたか否かを判断する。具体的は、ハードキー１２１に含まれるスタートキーが押下されたことを検知する。コピースタート指示がされたと判断すると、ＣＰＵ１１１は処理をステップ８１０に進める。ステップ８１０においてＣＰＵ１１１は、スキャナに原稿種類（坪量）を指示してコピージョブを開始する。
【００５７】
具体的には、ステップ７０６、ステップ８０７、ステップ８０８のいずれかで設定された原稿種類（坪量）をスキャナＩ／Ｆ１１９を介してスキャナ１２５に通知する。スキャナ１２５は、通知された原稿種類（坪量）で原稿の読み込み処理を行って画像データを生成する。その後、ＣＰＵ１１１はプリンタＩ／Ｆ１１８を経由してプリンタ１２４を制御してプリント出力を行う。
【００５８】
以上述べたように、本発明の画像処理装置によれば、より広い範囲の坪量の用紙をドキュメントフィーダで読み込むことが可能となり、より効率的に作業することができる。ドキュメントフィーダで読み込む原稿種類（坪量）を頻繁に変更するユーザの場合、原稿種類（坪量）のデフォルト設定を毎回指定モードにしておけば、ドキュメントフィーダに原稿を置くたびに原稿種類（坪量）を指定するポップアップが表示されるので、原稿種類（坪量）の指定を忘れることが無い。
【００５９】
一方、ドキュメントフィーダで読み込む原稿種類（坪量）をあまり変更しない（特定の原稿種類を使うことが多い）ユーザであれば、原稿種類（坪量）のデフォルト設定を固定モードに設定しておけば、ドキュメントフィーダに原稿を置くたびに毎回原稿種類（坪量）を指定する必要が無いので、ユーザは煩雑な操作が不要である。
【００６０】
なお、本実施形では原稿種類（坪量）によって、読み込み速度を変更する例を示したが、その他のパラメータを変更しても良い。例えば、原稿種類（坪量）によって読み取り解像度を変更するようにしても良い。
【００６１】
なお、本実施形ではコピーを例に説明したが、原稿を読み取る処理を含むコピー以外のジョブについても適用可能である。例えば、スキャナ１２５で読み取った画像データを電子メールで送信するスキャンアプリケーションや、ファックスに適用しても良い。
【符号の説明】
【００６２】
１００  画像処理装置、７０２  検知手段、
７０４  原稿種別設定ポップアップ画面表示手段、８１０  原稿読み込み手段
【図１】
2020102783.tif 000003
【図２】
2020102783.tif 000004
【図３】
2020102783.tif 000005
【図４】
2020102783.tif 000006
【図５】
2020102783.tif 000007
【図６】
2020102783.tif 000008
【図７】
2020102783.tif 000009
【図８】
2020102783.tif 000010